(57)【要約】【課題】余長収納トレイを上面開放状態で起こした時に、保持リブ間の間隙から光接続部が脱落する恐れのない余長収納トレイを提供する。【解決手段】光ファイバどうしの光接続部を、間隔をあけて設けた保持リブ３１間の間隙に嵌合させて保持する光接続部保持部８をトレイ底板２上に備え、トレイ底板２の一辺側に設けたヒンジ部により、上下に積層した当該余長収納トレイどうしが開閉可能にヒンジ結合される樹脂成形品の余長収納トレイにおいて、隣接する保持リブ３１の対向面の上部に、内向きに突出する突起３２ａ、３２ｂを設けたことを特徴とする。余長収納トレイを開放状態で起こした時、保持リブ３１間の間隙に緩く嵌合している光接続部は保持リブ間の間隙から脱落し易いが、上部の突起３２ａ、３２ｂが脱落を防止する。 【選択図】図８
2011048091.tif 000002
【特許請求の範囲】
【請求項１】
光ファイバどうしの光接続部を、間隔をあけて設けた保持リブ間の間隙に嵌合させて保持する光接続部保持部をトレイ底板上に備え、トレイ底板の一辺側に設けたヒンジ部により、上下に積層した当該余長収納トレイどうしが開閉可能にヒンジ結合される樹脂成形品の余長収納トレイにおいて、
隣接する保持リブの対向面の上部に、内向きに突出する突起を設けたことを特徴とする余長収納トレイ。
【請求項２】
前記保持リブ間のトレイ底板に、上面から見て前記突起のある部分を含むような形状寸法の底板貫通穴を設けたことを特徴とする請求項１記載の余長収納トレイ。
【請求項３】
前記突起の断面形状が略正三角形又は二等辺三角形をなしていることを特徴とする請求項１又は２記載の余長収納トレイ。
【請求項４】
前記突起が保持リブ長手方向両側の２箇所に設けられていることを特徴とする請求項１〜３のいずれかに記載の余長収納トレイ。
【請求項５】
前記保持リブは、長さ方向の両側に厚肉部を有し中間部に薄肉部を有して、前記薄肉部間に形成される幅の広い間隙で短く大径の光接続部を保持し、両側の厚肉部間に形成される幅の狭い間隙で長く小径の光接続部の両側を保持する構成であり、前記突起が前記厚肉部及び薄肉部にそれぞれ設けられていることを特徴とする請求項１〜４のいずれかに記載の余長収納トレイ。
【請求項６】
前記厚肉部及び薄肉部にそれぞれ設けられる突起、及び当該突起に対応して設けられる底板貫通穴が、保持リブ長手方向両側における厚肉部と薄肉部との境界近傍にそれぞれ設けられていることを特徴とする請求項５記載の光接続部保持構造。
【発明の詳細な説明】
【技術分野】
【０００１】
この発明は、複数の保持リブを間隔をあけて設けた光接続部保持部をトレイ底板上に備え、トレイ底板の一辺側に設けたヒンジ部により、上下に積層した当該余長収納トレイどうしが開閉可能にヒンジ結合される樹脂成形品の余長収納トレイに関する。
【背景技術】
【０００２】
光線路における光ファイバケーブルの直線接続部や分岐接続部やドロップケーブル導入部等に設置される光クロージャ内には通常、従来の余長収納トレイ４１を示す図１５のように、光ファイバ心線２０の余長を収納する樹脂成形品の余長収納トレイ４１が配置される。
この余長収納トレイ４１の内部には、光ファイバどうしの光接続部４３を、図１６にも拡大断面図で示すように間隔をあけて設けた保持リブ４４間の間隙に嵌合させて保持する光接続部保持部４５をトレイ底板４６上に備えている。光接続部４３は、光ファイバを融着接続し補強部材で補強した融着接続部、あるいは光ファイバどうしを突き合わせ接続したメカニカルスプライスなどである。４７は光ファイバ心線出入部、４８は心線押さえ用舌片である。
この余長収納トレイ４１は一般に、図１７のように複数個を積層して使用されるが、積層したそれぞれの余長収納トレイ４１内の光ファイバ心線に対する処理を個別に行えるように、上下に隣接する余長収納トレイ４１どうしは一辺側の側壁４９に設けたヒンジ部５０にて回転可能に連結されて、積層したいずれの余長収納トレイも開閉可能にされている（特許文献１）。
【０００３】
前記光接続部保持部４５の保持リブ４４間の間隙を光接続部４３の外径に対して緊密にし過ぎると、光接続部４３の安定した保持はできても、この光接続部４３を保持リブ４４間の間隙に対して着脱する際の作業性が悪くなるので、保持リブ４４間の間隙は、通常、図１６に示すように光接続部４３の外径に対して若干の余裕を持たせている。
【先行技術文献】
【特許文献】
【０００４】
【特許文献１】特開２００１−４２１５８
【発明の概要】
【発明が解決しようとする課題】
【０００５】
上記のように従来の余長収納トレイ４１における光接続部保持部４５は、保持リブ４４間の間隙は光接続部４３を緊密に嵌合させるものでなく、緩く嵌合させるものなので、例えばトレイ内の光ファイバ心線に対する処理のために、積層した余長収納トレイ４１のうちの一部の余長収納トレイ４１を開放する際に、その上の余長収納トレイ４１を図１７のように起こした時、余長収納トレイ４１内の光接続部４３が保持リブ４４間の間隙から脱落する場合がある。光接続部４３が保持リブ４４間から脱落すると、それを元に戻す作業が煩雑であり、作業能率が悪くなる。
なお、心線押さえ用舌片４８は、トレイ内に導入した光ファイバ心線２０がトレイから飛び出すのを防ぐものであるが、一般にはさらに、図１５、図１６に示すように、心線押さえ用の透明な薄いフィルム５１を概ねトレイ内部全体を覆うように被せている。
しかし、この心線押さえ用のフィルム５１は、薄く剛性が殆んどないので、光接続部４３が脱落するのを防ぐ作用は果たし得ない。
【０００６】
特許文献１の発明は、光接続部保持部４５の構造自体は特に変えずに、光接続部４３に弾性材料からなるチューブを被せて、このチューブ被覆光接続部を保持リブ４４間に嵌合させるというものであり、保持リブ４４間に被覆のチューブが弾性的に嵌合して、光接続部４３がみだりに動かないようにしている。
しかし、光接続部４３に弾性チューブを被せる対策は、部品点数が増すことになり、また、弾性チューブを被せる作業が余分に加わるので、別部品を必要としない対策が望ましい。
【０００７】
本発明は上記従来の欠点を解消するためになされたもので、積層した余長収納トレイの一部の余長収納トレイを開放するためにその上の余長収納トレイを起こした時などの場合に、光接続部が光接続部保持部の保持リブ間の間隙から脱落する恐れのない余長収納トレイを提供することを目的とする。
【課題を解決するための手段】
【０００８】
上記課題を解決する請求項１の発明は、光ファイバどうしの光接続部を、間隔をあけて設けた保持リブ間の間隙に嵌合させて保持する光接続部保持部をトレイ底板上に備え、トレイ底板の一辺側に設けたヒンジ部により、上下に積層した当該余長収納トレイどうしが開閉可能にヒンジ結合される樹脂成形品の余長収納トレイにおいて、
隣接する保持リブの対向面の上部に、内向きに突出する突起を設けたことを特徴とする。
【０００９】
請求項２は、請求項１記載の余長収納トレイにおいて、保持リブ間のトレイ底板に、上面から見て前記突起のある部分を含むような形状寸法の底板貫通穴を設けたことを特徴とする。
【００１０】
請求項３は、請求項１又は２記載の余長収納トレイにおいて、突起の断面形状が略正三角形又は二等辺三角形をなしていることを特徴とする。
【００１１】
請求項４は、請求項１〜３のいずれかに記載の余長収納トレイにおいて、突起が保持リブ長手方向両側の２箇所に設けられていることを特徴とする。
【００１２】
請求項５は、請求項１〜４のいずれかに記載の余長収納トレイにおいて、保持リブは、長さ方向の両側に厚肉部を有し中間部に薄肉部を有して、前記薄肉部間に形成される幅の広い間隙で短く大径の光接続部を保持し、両側の厚肉部間に形成される幅の狭い間隙で長く小径の光接続部の両側を保持する構成であり、前記突起が前記厚肉部及び薄肉部にそれぞれ設けられていることを特徴とする。
【００１３】
請求項６は、請求項５記載の余長収納トレイにおいて、厚肉部及び薄肉部にそれぞれ設けられる突起、及び当該突起に対応して設けられる底板貫通穴が、保持リブ長手方向両側における厚肉部と薄肉部との境界近傍にそれぞれ設けられていることを特徴とする。
【発明の効果】
【００１４】
本発明によれば、隣接する保持リブの対向面の上部に、内向きに突出する突起を設けているので、積層した余長収納トレイの一部の余長収納トレイを開放するためにその上の余長収納トレイを起こした時には、前記突起により、光接続部が保持リブ間の間隙から脱落することを防止される。
【００１５】
請求項２によれば、保持リブ間のトレイ底板に突起に対応させて底板貫通穴を設けているので、余長収納トレイの樹脂成形の際に、突起を一体に形成することが容易になる。
すなわち、従来のように単にトレイ底板上に保持リブを形成したものでは、周囲の形状との関係から、隣接する保持リブの対向面に突起を形成するために金型に必要となるコアピンを設けることが困難になる。
しかし、底板貫通穴があいていれば、突起を形成するために金型に必要となるコアピンを底板貫通穴を利用して設けることが可能となる。
また、底板貫通穴には、保持リブ間に保持した光接続部を取り出す際に、底板貫通穴の下方から光接続部の下面を棒などで突き上げることで、光接続部の取り出しが容易になるという効果もある。
【００１６】
請求項３のように、突起の断面形状を略正三角形又は二等辺三角形とすれば、光接続部を保持リブ間の間隙に押し込む時、及び、保持リブ間の間隙から取り出す時のいずれの場合にも困難さのない操作が可能である。
【００１７】
請求項４のように、突起を保持リブ長手方向両側の２箇所に設けることが、光接続部の着脱を円滑にするために適切である。
【００１８】
請求項５によれば、光接続部保持部の保持リブが短く大径の光接続部と長く小径の光接続部とに兼用の構造である場合に、それぞれの光接続部に対して脱落防止を有効に果たすことができる。
【００１９】
請求項６のように、光接続部保持部の保持リブが短く大径の光接続部と長く小径の光接続部とに兼用の構造である場合に、突起及び底板貫通穴を厚肉部と薄肉部との境界近傍に設けることは、２種の光接続部に対する脱落防止を図る構造として適切であり、また、底板貫通穴を無用に広くあけないためにも適切である。
【図面の簡単な説明】
【００２０】
【図１】本発明の一実施例の余長収納トレイの平面図である。
【図２】上記余長収納トレイの正面図である。
【図３】図１のＡ−Ａ断面図である。
【図４】図１の右側面図である。
【図５】図１のＢ−Ｂ断面図である。
【図６】図１における光接続部保持部部分を示した拡大図である。
【図７】図６のＣ−Ｃ断面図である。
【図８】図１における光接続部保持部部分を示した斜視図である。
【図９】図６において保持リブ間の間隙に光接続部を配置（図示例は単心用の光接続部と多心用の光接続部とをそれぞれ配置）した状態で示した図である。
【図１０】図９のＤ−Ｄ断面図である。
【図１１】図９のＥ−Ｅ断面図である。
【図１２】図１の余長収納トレイ内の光ファイバ心線収納態様の一例を示した図で、（ａ）は光接続部が同図で上側の光接続部保持部で保持される場合、（ｂ）は光接続部が同図で下側の光接続部保持部で保持される場合である。図１の余長収納トレイにおいて光ファイバ心線の導入状態を付加して示した図である。
【図１３】図１の余長収納トレイを４段に積層し蓋を取り付けた状態の右側面図である。
【図１４】図１３において、一部の余長収納トレイを上面開放状態で起こした図である。
【図１５】従来の余長収納トレイを示す平面図である。
【図１６】図１５のＦ−Ｆ断面の一部省略の拡大図である。
【図１７】上記従来の余長収納トレイを積層して最上段の余長収納トレイを起こした状態の図である。
【発明を実施するための形態】
【００２１】
以下、本発明を実施した余長収納トレイについて、図面を参照して説明する。
【実施例１】
【００２２】
図１は本発明の一実施例の余長収納トレイ１の平面図、図２は正面図、図３は図１のＡ−Ａ断面図、図４は図１の右側面図、図５は図１のＢ−Ｂ断面図である。
この余長収納トレイ１は、樹脂一体成形品であり、概ね長円状のトレイ底板２の周縁に側壁３、４を備え、トレイ長手方向（図１の左右方向）の両側にそれぞれ光ファイバ心線出入部５、６を備え、内部に光ファイバ心線の余長を収納する余長収納部７、及び、光接続部３０（図９参照）を保持する光接続部保持部８を備え、トレイ底板２のトレイ長手方向と直交する一辺側（光ファイバ心線出入部５、６側）の直線状の側壁４のトレイ長手方向の２箇所にヒンジ構造１０を備えている。このヒンジ構造１０により、上下に重ねた余長収納トレイ１どうしをヒンジ結合可能である。
光接続部３０は、光ファイバを融着接続し補強部材で補強した融着接続部、あるいは光ファイバどうしを突き合わせ接続したメカニカルスプライスなどである。融着接続部の補強部材は、光ファイバを融着接続した部分に内部スリーブを被せ、これに抗張力材を添わせて補強スリーブを被せた構造などである。
また、９は積層した上側の余長収納トレイ１の係合凹所（図示略）に係合して余長収納トレイ１どうしをロックする係合爪である。３１は詳細は後述する光接続部保持部８の保持リブである。側壁３の上端縁の複数箇所から心線押さえ用舌片１１ａ、１１ｂ、１１ｄが内向きに延出し、ヒンジ構造１０側の側壁４からも心線押さえ用舌片１１ｃが内向きに延出している。光接続部保持部８の中央側の保持リブ３１からも心線押さえ用舌片１１ｅが中央向きに延出している。底板２における各心線押さえ用舌片１１ａ、１１ｂ、１１ｃ、１１ｄ、１１ｅの下方部分はそれぞれ穴２ａとなっている。
側壁３の直線部の左右両側の心線押さえ用舌片１１ａに突起１２が設けられている。この突起１２は上側の余長収納トレイ１の底板２の穴２ａ’（図１参照）に入りその縁に係合することで、トレイ長手方向のズレ（移動）を防ぐ。
余長収納トレイの材質は特に限定されないが、例えばＡＢＳ樹脂やＰＳ（ポリスチレン）樹脂等を用いることができる。
この余長収納トレイ１は、例えば、光線路における光ファイバケーブルの直線接続部や分岐接続部やドロップケーブル導入部等に設置される光クロージャ等の内部に配置される。
【００２３】
この余長収納トレイ１は、例えば図１３のように積層される。
積層したいずれの余長収納トレイ１についても、図１４に示すように、ヒンジ構造１０のピン１６を中心として回転可能であり、その下側の余長収納トレイ１を開放状態として、各余長収納トレイ１内の光ファイバ心線に対する処理を個別に行うことを可能にする。
図１３、図１４において、１３は蓋である。
前記ヒンジ構造１０は、図１、図２に示すように、ピン１６を持つ突片部１５とピン穴１８を持つピン受け部１７との一対を備えており、２つの余長収納トレイ１を上下に重ねた時に一方のピン１６が他方のピン穴１８に嵌合して、ヒンジとして機能する。１９は抜け止め用の突起である。
【００２４】
図６〜図８は上記余長収納トレイ１における光接続部保持部８の詳細を説明する図である。
図６は図１における光接続部保持部８の部分を示した拡大図、図７は図６のＣ−Ｃ断面図、図８は図１における光接続部保持部８の部分を示した斜視図である。
この光接続部保持部８は、トレイ底板２にこれと一体成形で複数の保持リブ３１を間隔をあけて設けた構成である。
単心光ファイバ心線の補強部材で補強された融着接続部と多心光ファイバ心線（光ファイバテープ心線）の補強部材で補強された融着接続部とを比較すると、一般に、単心線の融着接続部は長く小径であり、多心線の融着接続部は短く大径である。図示例の光接続部保持部８は、主としてその２種の光接続部を保持するものである。
すなわち、この保持リブ３１は、一つの余長収納トレイで、単心光ファイバ心線の光接続部（融着接続部）および多心光ファイバ心線の光接続部（融着接続部）のいずれにも対応できるようにしたものであり、長さ方向両側に厚肉部３１ａを有し、中間部に薄肉部３１ｂを有し、両端に膨大部３１ｃを有する構造である。厚肉部３１ａと薄肉部３１ｂとの境界は、上面から見て段差となっている。
これにより、薄肉部３１ｂ間に形成される幅の広いスペースのみで多心線の光接続部を保持することができ、両側の厚肉部３１ａ間に形成される幅の狭いスペースで単心線の光接続部を保持することができ、かつ両端の膨大部３１ｃで単心線の光接続部が長さ方向に抜けることを防止する。また、図示例では図７にも示すように、中間の薄肉部３１ｂの中央近傍をコ字形に切り欠いている。このコ字形の切欠き３１ｂ’において光接続部の中間部を掴むことができるので、光接続部の着脱が容易である。
そして、隣接する保持リブ３１の対向面の上部にそれぞれ、内向きに突出する突起３２を設けている。
図示の突起３２の断面形状は略正三角形であるが二等辺三角形でもよい。正三角形又はこれに近い二等辺三角形であると、光接続部を保持リブ間の間隙に押し込む時、及び、保持リブ間の間隙から取り出す時のいずれの場合にも困難さのない操作が可能である。三角形の頂点には当然若干のアールを持たせる。しかし、必ずしも三角形に限らず、光接続部の抜け止め作用を果たしかつ着脱がともに円滑に行なえる断面形状であればよい。
前記突起３２は、両側の厚肉部３１ａにそれぞれ設けられ、かつ中間の薄肉部３１ｂの両側位置に設けられている。厚肉部３１ａの突起３２を３２ａ、薄肉部３１ｂの突起３２を３２ｂで示す。厚肉部３１ａの突起３２ａ及び薄肉部３１ｂの突起３２ｂは、保持リブ長手方向両側における厚肉部３１ａと薄肉部３１ｂとの境界近傍、すなわち上面から見て段差部の近傍に設けられている。
実施例における各部の寸法の一例を記載すると、保持リブ３１間の間隙は厚肉部３１ａ及び薄肉部３１ｂのいずれも上端が広く下端が狭いテーパ状をなしており、保持リブ３１間の間隙は厚肉部３１ａの上端で３．５ｍｍ程度、薄肉部３１ｂの上端で４．５程度ｍｍである。また、突起３２の突出高さは０．５ｍｍ程度である。
【００２５】
また、保持リブ３１間のトレイ底板２に、上面から見て突起３２のある部分を含むような形状寸法の底板貫通穴３３を設けている。図示例では、保持リブ長手方向両側における厚肉部３１ａと薄肉部３１ｂとの境界近傍にそれぞれ底板貫通穴３３を設けている。それぞれの底板貫通穴３３は、厚肉部３１ａと薄肉部３１ｂとの境界近傍の突起３２ａ、３２ｂを含む形状寸法である。
したがって、余長収納トレイ１の樹脂成形の際に、突起３２を一体に形成することが容易になる。
すなわち、従来のように単にトレイ底板上に保持リブを形成したものでは、周囲の形状との関係から、隣接する保持リブの対向面に突起を形成するために金型に必要となるコアピンを設けることが困難になる。しかし、底板貫通穴３３があいているので、突起３２を形成するために金型に必要となるコアピンを底板貫通穴を利用して設けることが可能となる。
また、底板貫通穴３３には、保持リブ３１間に保持した光接続部３０を取り出す際に、底板貫通穴３３の下方から光接続部３０の下面を棒などで突き上げることで、光接続部３０の取り出しが容易になるという効果もある。
なお、光接続部保持部８における図示例では５つの保持リブ３１のうち、最外側の保持リブ３１は、中間部の保持リブ３１と厚肉部３１ａの厚さなどが異なるが、同じ符号を付している。
【００２６】
図１２に示すように、余長収納トレイ１内に左右の光ファイバ心線出入部５、６から導入された光ファイバ心線２０の光接続部３０は光接続部保持部８に配置され、光ファイバ心線２０の余長は、例えば、光接続部３０が同図で上側の光接続部保持部８で保持される場合は同図（ａ）のように、光接続部３０が同図で下側の光接続部保持部８で保持される場合は同図（ｂ）のように収納される。
図９は図６において光接続部保持部８に光ファイバの光接続部３０（３０ａ、３０ｂ）を配置した状態を示す。
図示例は５列の保持リブ３１で４箇所の光接続部配置スペースを設けており、その２箇所に単心光ファイバ心線の光接続部（長く小径の光接続部）３０ａ、２箇所に多心光ファイバ心線の光接続部（短く大径の光接続部）３０ｂを配置している。
長く小径の光接続部３０ａは、その両端近傍を保持リブ３１の厚肉部３１ａの間隙に余裕のある嵌合にて嵌合させる。短く大径の光接続部３０ｂは保持リブ３１の薄肉部３１ｂの間隙に余裕のある嵌合にて嵌合させる。
図１３のように積層された余長収納トレイ１の一部を、図１４に示すようにその上面が開放された状態でヒンジ部１６を中心として回転させて起こした時、図１５〜図１７の従来構造と同様であれば、光接続部３０ａ、３０ｂが保持リブ３１の間隙から脱落する恐れがある。
しかし、隣接する保持リブ３１の対向面の上部に突起３２ａ、３２ｂを設けているので、この突起３２ａ、３２ｂにより光接続部３０ａ、３０ｂの脱落は防止される。すなわち、小径で長い光接続部３０ａに対しては、厚肉部３１ａの突起３２ａが抜け止めとなり（図１０、図１１）、大径で短い光接続部３０ｂに対しては、薄肉部３１ｂの突起３２ｂが抜け止めとなり（図１０）、いずれの光接続部に対しても抜け止めが図られる。
【００２７】
また、この実施例のように、突起３２ａ、３２ｂ及び底板貫通穴３３を厚肉部３１ａと薄肉部３１ｂとの境界近傍に設けることは、２種の光接続部３０ａ、３０ｂに対する脱落防止を図る構造として適切であり、また、底板貫通穴を無用に広くあけないためにも適切である。
【００２８】
底板貫通穴３３は、前述の通り、保持リブに突起を形成するために金型に必要となるコアピンを設けることを可能にするが、それだけでなく、光接続部３０を取り出す操作を容易にする。
すなわち、光接続部３０を保持リブ３１間の間隙から取り出す際、薄肉部３１ｂの中央のコ字形の切欠き３１ｂ’において光接続部３０を掴んで取り出すが、取り出しにくい場合もある。しかし、トレイ底板２に底板貫通穴３３があいているので、底板貫通穴３３の下から棒等で光接続部３０を突き上げることができ、光接続部３０の取り出しが容易になる。
【符号の説明】
【００２９】
１  余長収納トレイ
２  トレイ底板
２ａ  穴
３、４  側壁
５、６  光ファイバ心線出入部
７  余長収納部
８  光接続部保持部
１０  ヒンジ構造
１１ａ、１１ｂ、１１ｃ、１１ｄ、１１ｅ  心線押さえ用舌片
１６  ピン
１８  ピン穴
３０  光接続部
３０ａ  単心光ファイバ心線の光接続部（長く小径の光接続部）
３０ｂ  多心光ファイバ心線の光接続部（短く大径の光接続部）
３１  保持リブ
３１ａ  厚肉部
３１ｂ  薄肉部
３１ｂ’  切欠き
３１ｃ  膨大部
３２  突起
３２ａ  厚肉部の突起
３２ｂ  薄肉部の突起
３３  底板貫通穴
【図１】
2011048091.tif 000003
【図２】
2011048091.tif 000004
【図３】
2011048091.tif 000005
【図４】
2011048091.tif 000006
【図５】
2011048091.tif 000007
【図６】
2011048091.tif 000008
【図７】
2011048091.tif 000009
【図８】
2011048091.tif 000010
【図９】
2011048091.tif 000011
【図１０】
2011048091.tif 000012
【図１１】
2011048091.tif 000013
【図１２】
2011048091.tif 000014
【図１３】
2011048091.tif 000015
【図１４】
2011048091.tif 000016
【図１５】
2011048091.tif 000017
【図１６】
2011048091.tif 000018
【図１７】
2011048091.tif 000019